(57)【特許請求の範囲】
【請求項１】
地面若しくは床面に移動自在に載置される筐体を有したサイネージで、
前記筐体の片側面に装備されて火災状況を表示する画像表示部と、
前記筐体の片側面の一部に設けられ当該片側面に水が掛けられたことを検知する水センサーと、
前記画像表示部と前記水センサーとに電気的に接続され前記画像表示部の表示内容を制御する制御部と、
前記画像表示部と前記水センサーと前記制御部に電源を供給する電源供給部とを少なくとも備えてなり、
前記画像表示部を制御する制御部は、少なくとも、火炎が燃えさかる様子と、次第に火炎の勢いが消勢していく様子と、火炎が消火された様子との三段階の画像を、前記画像表示部に表示するように制御し、
前記水センサーは、画像表示部の周囲に任意に複数個が配設され、
当該水センサーに水が掛けられたことによるセンサー検知数が多い・少ないに対応させて、前記制御部で火炎が燃えさかる様子から、火炎の勢いが消勢していく様子、火炎が消火された様子の三段階の画像を表示する迄の時間を伸縮制御するとともに、水センサーによる水検知の位置が偏っている場合には偏っている側の火を小さくしてその反対側の火の大きさはそのままにして火炎の様子を前記制御部で制御すること、
を特徴とする防災訓練疑似体験用サイネージ。
【発明の詳細な説明】
【技術分野】
【０００１】
本発明は、防災訓練を疑似体験するためのサイネージ（ｓｉｇｎａｇｅ：看板）に関するものである。
【背景技術】
【０００２】
従来、防災訓練においては、実際に裸火に消防ホースから水を掛けたり、携帯小型の消化器から消火液を噴射したりして、実体験さながらにして訓練している。このような場合、裸火を取り扱うので、なるべく広い訓練場所を確保して、訓練参加者が遠巻きに、消火の様子を見学している。近年では、デジタルディスプレイを用いて、過去の災害、異常、故障などをマルチメディアで疑似体験し訓練して防災技術の向上を図るものが知られている（特許文献1参照）。
【先行技術文献】
【特許文献】
【０００３】
【特許文献１】特開平０８−３３０６０号公報
【発明の概要】
【発明が解決しようとする課題】
【０００４】
しかし、従来の防災訓練では、例えば、実際に裸火を用意する場合には、火を起こす準備に手間がかかるとともに、危険性が高く、訓練後の裸火の後始末が大変である。また、屋外の広い訓練場所の確保も市街地では困難となる。一方、デジタルディスプレイにより疑似体験する近年の方法においては、裸火を使わないので危険性が低く、準備や後始末に困ることは無いが、消火訓練として消火器などによる放水・消火を実際に行わないので、消火訓練を受ける人にとっては、実体験として消火するという実感が湧かず、単に頭で理解するだけであって消火訓練の意義が減殺される。かかる状況において、本発明に係る防災訓練疑似体験用サイネージは、このような従来の課題を解決するために提案されたものである。
【課題を解決するための手段】
【０００５】
本発明に係る防災訓練疑似体験用サイネージの上記課題を解決して目的を達成するための要旨は、地面若しくは床面に移動自在に載置される筐体を有したサイネージで、前記筐体の片側面に装備されて火災状況を表示する画像表示部と、前記筐体の片側面の一部に設けられ当該片側面に水が掛けられたことを検知する水センサーと、前記画像表示部と前記水センサーとに電気的に接続され前記画像表示部の表示内容を制御する制御部と、前記画像表示部と前記水センサーと前記制御部に電源を供給する電源供給部とを少なくとも備えてなり、前記画像表示部を制御する制御部は、少なくとも、火炎が燃えさかる様子と、次第に火炎の勢いが消勢していく様子と、火炎が消火された様子との三段階の画像を、前記画像表示部に表示するように制御し、前記水センサーは、画像表示部の周囲に任意に複数個が配設され、当該水センサーに水が掛けられたことによるセンサー検知数が多い・少ないに対応させて、前記制御部で火炎が燃えさかる様子から、火炎の勢いが消勢していく様子、火炎が消火された様子の三段階の画像を表示する迄の時間を伸縮制御するとともに、水センサーによる水検知の位置が偏っている場合には偏っている側の火を小さくしてその反対側の火の大きさはそのままにして火炎の様子を前記制御部で制御することである。
【発明の効果】
【０００９】
本発明の防災訓練疑似体験用サイネージによれば、訓練参加者は実際に消火用ホース若しくは消火器のホースを手にして、的になるサイネ―ジの炎に向かって放水し、実体験のように消火を体験できる。放水の水が直接、サイネ―ジの火炎表示部に当たることで、火炎の勢いが消勢して行き消火の実感が湧くものである。サイネ―ジにより裸火を用意したりその後片づけをしたりする必要がなくなり、危険性が少なく、後始末が容易であって且つ手間が省けて訓練時間を短縮させることができる、と言う優れた効果を奏するものである。又、消火用の水が的であるサイネ―ジに当たる具合により、消火までの時間を伸縮調節する事で、消火の手際が良いか否かの判断が、訓練者にも容易に判断できるので、消火訓練の実効性が増すという優れた効果を奏するものである。
【図面の簡単な説明】
【００１０】
【図１】本発明に係る防災訓練疑似体験用サイネージ１による訓練の様子を示す斜視図である。
【図２】同本発明の防災訓練疑似体験用サイネージ１による消火訓練のフロー図である。
【図３】同本発明に係る防災訓練疑似体験用サイネージ１における、複数個の水センサーと無線受信部との配置の一例を示す斜視図である。
【図４】同本発明に係る防災訓練疑似体験用サイネージ１による消火訓練の流れを示す説明図である。
【発明を実施するための形態】
【００１１】
本発明に係る防災訓練疑似体験用サイネージ１は、図１に示すように、消火訓練において裸火を用いないで擬似的に画像表示部に火炎を表示して、放水体験は訓練者２（防災訓練を受ける者をいう、以下同じ）の実体験とするものである。
【実施例１】
【００１２】
前記サイネージ１は、図３に示すように、地面若しくは床面にキャスター１ｃによって移動自在に載置される筐体１ａを有したものであり、前記筐体１ｂの片側面１ｆに装備されて火災状況を表示する画像表示部１ｂと、前記筐体１ａの片側面１ｆの一部に設けられ当該片側面１ｆに水が掛けられたことを検知する水センサー１ｄと、前記画像表示部１ｂと前記水センサー１ｄとに電気的記に接続され前記画像表示部の表示内容を制御する制御部（筐体１ａ内部に装備される、図示せず）と、前記画像表示部１ｂと前記水センサー１ｄと前記制御部に電源を供給する電源供給部（同、図示せず）とを少なくとも備えて成るものである。
【００１３】
前記画像表示部１ｂを制御する制御部は、少なくとも、火炎が燃えさかる様子と、次第に火炎の勢いが消勢していく様子と、火炎が消火された様子との三段階の画像を、前記画像表示部１ｂに表示するように制御するものである。図４に示すように、訓練最初の画像表示である「火災発生・消火開始」から、「再出動」までの複数消火段階の画像表示画が用意されている。
【００１４】
前記電源供給部は無線受信機を備えてなり、図３に示すように、無線受信機用の無線受信部１ｅが、筐体１ａの例えば水の掛かりにくい側壁側若しくは片側面１ｆの裏面側などに適宜に配設される。この無線受信機にスイッチのＯＮ／ＯＦＦ信号を発信する無線発信器を備えた外部遠隔操作装置、図４に示すリモコン６の遠隔操作によって、前記電源供給がＯＮ／ＯＦＦされるものである。
【００１５】
このように、本発明に係るサイネージ１を使用して、防災訓練疑似体験を行うには、例えば、図１及び図３に示す防災訓練疑似体験用サイネージ１をキャスター１ｃを転動させて訓練用広場に移動させ設置する。なお、設置後は、前記キャスター１ｃをロックして固定する。
【００１６】
そして、訓練者２がホース３の放出口を持って待機する。サイネージ１の操作担当者５がリモコン６を手に持って、これを操作して、スタートボタンを押す。これにより、図２および図４に示すように、サイネージ１における画像表示部１ｂの画像が、火災発生となり、ガスコンロ等から火炎が燃え広がる（図２の出火状態となる）。
【００１７】
次に、ホース３から放水が始まり、訓練者２が的であるサイネージ１の画像表示部１ｂに向かって放水４が掛かるようにホース３の先端放水口を操作する。
【００１８】
前記放水訓練により前記画像表示部１ｂに放水４が掛かると、水センサー１ｄによって当該放水４が検知される。図４に示すように、水が掛かりその時間が続くことで画像表示部１ｂの火炎の勢いが消勢され、次第に炎が小さくなる。また、水センサー１ｄによって水が検知されないと、制御部に前記水センサー１ｄからの信号が伝達されないので、炎の勢いがそのままであり、火の勢いが衰えることが無い。
【００１９】
前記炎が消勢して鎮火すると画像表示部１ｂに「消火完了」の表示が制御部によって表示される。なお、このとき、放水４が掛けられる画像表示部１ｂが、放水操作している訓練者２にとって見えにくい場合もあるので、同時に消火完了音をスピーカ等から発するようにしても良い。更には、画像表示部１ｂの全体を表示色を変えて点滅させる等の変化をもたらすようにしても良い。これにより確実に、消火完了したことが訓練者２等に認知されるからである。
【００２０】
その後、図４に示すように、「再出動」の表示画面になり、訓練が終了する。次の訓練者２に替わった後に、前記操作担当者５がリモコン６のスイッチを押すと、再び、サイネージ１の画像表示部１ｂにおける画像が、訓練最初の「火災発生」の画面になり、消火訓練の開始となる。このように繰り返して、訓練者２の防災訓練疑似体験がなされるものである。
【００２１】
訓練者２は、放水の実体験をすると共に、放水の的になる火に関しては裸火を用いないで画像表示で済ませるものであり、手軽な消火訓練手段で、より実体験に近い防災訓練疑似体験が可能となったものである。訓練終了後は、広場のシートや水等を片付けるだけであり、火の始末が無いので後始末が容易である。
【実施例２】
【００２２】
本発明に係るサイネージ１の第２実施例は、例えば、筐体１ｂに配設される水センサー１ｄに関するものである。この水センサー１ｄを、画像表示部１ｂの周囲に任意に複数個が配設して、当該水センサー１ｄに水が掛けられたことによるセンサー検知数が多い・少ないに対応させて、火炎の勢いが消勢していく様子から火炎が消火された様子を表示する迄の時間を伸縮制御するようにするのである。
【００２３】
このように水センサー１ｄを配設することで、訓練者２が上手に放水した場合には、消火時間が短くなり、水を画像表示部１ｂに上手く当てられない場合には、消火に要する時間が長くなるように制御装置で制御することで、訓練者２の技量確認がなされ、訓練者２が自覚することで消火に対する意欲も湧くようになるものである。
【００２４】
このほか、水センサー１ｄによる水検知の位置が偏っている場合には、偏っている側の火を小さくして、その反対側の火の大きさはそのままにする等と、適宜に画像表示部１ｂの画像を状況に合わせて火炎の様子を変化させるのが好ましいものである。
【産業上の利用可能性】
【００２５】
本発明に係る防災訓練疑似体験用サイネージ１により、実体験を併用した訓練として広く応用できるものである。
【符号の説明】
【００２６】
１          サイネージ、                    １ａ        筐体、
１ｂ        画像表示部、                    １ｃ        キャスター、
１ｄ        水センサー、                    １ｅ        無線受信部、
１ｆ        片側面、
２          訓練者、
３          ホース、
４          放水、
５          操作担当者、
６          リモコン（リモートコントローラー）。
【図１】
0005580864.tif 000002
【図２】
0005580864.tif 000003
【図３】
0005580864.tif 000004
【図４】
0005580864.tif 000005